(57)【要約】【課題】光ディスクケースの厚さは薄く背表紙ラベル面の面積が狭いために、文字を書きづらく見えにくい。しかも光ディスクケースの内部に収納されているために、背表紙ラベル面を書き換えたりする際に、その都度光ディスクケースから取り出さなければならず非常に不便である。【解決手段】内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、光ディスクのタイトルや内容を表示した背表紙ラベル面の虚像を作る位置に凸レンズを配置し、さらに背表紙ラベル面を矩形平面に対して傾斜した構成とした。【選択図】　図１
2004091042.tif 000002
【特許請求の範囲】
【請求項１】
内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、この光ディスクケース内には前記光ディスクの記録内容などを表示する背表紙ラベル面が前記矩形平面と略直角に収納され、この背表紙ラベル面の虚像を作る位置に前記側壁面および前記矩形平面の少なくとも一方の面と接合された凸レンズが配置されていることを特徴とする光ディスクケース。
【請求項２】
内部に収納される光ディスクの表裏面にそれぞれ対向する２つの矩形平面と、この２つの矩形平面と略直角で、この２つの矩形平面の辺にそれぞれ接合された側壁面と、前記矩形平面に対して傾斜した傾斜面に、収納されている前記光ディスクの記録内容などを表示する背表紙ラベル面を設けたことを特徴とする光ディスクケース。
【請求項３】
内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、前記矩形平面に対して傾斜した傾斜面に、収納されている前記光ディスクの記録内容などを表示する背表紙ラベル面を設け、この背表紙ラベル面の虚像を作る位置に前記側壁面および前記矩形平面の少なくとも一方の面と接合された凸レンズが配置されていることを特徴とする光ディスクケース。
【発明の詳細な説明】
【０００１】
【発明の属する技術分野】本発明は光ディスクドライブにセットして記録再生を行なう光ディスクを収納保存するために用いる光ディスクケースに関するものである。
【０００２】
【従来の技術】従来の光ディスクケースの中で最も一般的に良く知られているＣＤ（コンパクトディスク）、ＣＤ−Ｒを収納するための光ディスクケースにおいて、光ディスクに記録されている内容などを表示するラベル類は、光ディスクケースの内部に収納されている（例えば、特許文献１、特許文献２、特許文献３参照）。
【０００３】
【特許文献１】
特許第２９９６９４４号公報（第１６頁、図１）
【特許文献２】
特開平１０−３５７６６号公報（第４頁、図１）
【特許文献３】
特開平９−１３４５８１号公報（第５頁、図１）
【０００４】図１６は従来の光ディスクケースを示す構成図であり、光ディスクケースと収納される光ディスク６１を光ディスクケースの厚み方向に分解して示した分解構造図である。
【０００５】図１６において６３は矩形形状の底板、６７、６８、６９、および７０はこの底板６３に対して直角に接合された側壁面である。側壁面６７、６９の端部には回動孔６７ａ、６９ａ（図中は側壁面７０に隠れて見えていない）がそれぞれ設けられている。矩形形状の天板６２と直角に接合された側壁面６４、６６には回同軸６４ａ（図中は側壁６４の裏面にあるため見えてない）、６６ａが形成されている。回同軸６４ａ、６６ａはそれぞれ対向する位置に配置された回動孔６７ａ、６９ａに矢印Ｃのように挿入され回動支持されている。そのため上ケース７１と下ケース７２は回動自在であり、光ディスクケースの開閉を可能にしている。底板６３の上には光ディスクに記録された内容を表示した下ラベル７３と下ラベル７３の端部を直角に折り曲げて背表紙にして、光ディスクのタイトルなどを表示した背表紙ラベル面７３ａが矢印Ｂのように置かれる。下ラベル７３の上には、収納される光ディスク６１を矢印Ａのように位置決め保持する中ケース７４が矢印Ｅのように置かれ、最後に上ラベル７５が矢印Ｄのように上ケース７１の中に挿入され、前述の如く矢印Ｃの係合により下ケース７２に組み付けられる。
【０００６】図１７は図１６の各パーツを積層して組み立てられ完成した光ディスクケースである。図１８は図１７の光ディスクケースをＸ−Ｘ断面で切断した断面図を示したものである。図１８において、底板６３と中ケース７４間に挟みこまれた下ラベル７３には光ディスクに記録されている詳細な内容が表示されており、下ラベル７３の端部を直角に折り曲げた背表紙ラベル面７３ａには、光ディスクのタイトルなどが表示されている。光ディスクケースは透明なプラスチックから出来ているので、視点Ｅ．Ｐ．から背表紙ラベル面７３ａに表示された内容を見たり、透明な底板６３を通して下ラベル７３を見たりすることが出来る。
【０００７】
【発明が解決しようとする課題】以上のような従来の光ディスクケースにおいては以下のような問題点があった。ＣＤ、ＣＤ−Ｒ、ＤＶＤ−ＲＯＭ、ＤＶＤ−Ｒなどの光ディスクでは光ディスクそのものの厚みが規格上１．２ミリしかないため、光ディスクケースの厚みは厚くても１０ミリ以下である。そのため、光ディスクケースの背表紙ラベル面７３ａの面積が非常に狭く、必要最小限の情報を小さな文字で表記する必要があり、非常に見えにくいといった問題があった。また最近、厚さが５ミリ程度の薄型の光ディスクケースが市販されているが、光ディスクケースの厚さを薄くすることに伴って、背表紙ラベル面７３ａの面積も小さくなり必然的に文字もさらに小さくなるため、本棚やラックなどに積層収納した多数の光ディスクケースから所望の光ディスクを探し出す時の識別認識性がますます劣化するといった問題点があった。このような問題は今後の高齢化社会において、より改善が求められるものと思われる。
【０００８】また、最近はＤＶＤ−ＲＡＭやＤＶＤ−ＲＷを用いてテレビ画像を録画記録するＤＶＤレコーダが急速に普及してきている。このＤＶＤレコーダは従来のＶＴＲのようなアナログ記録に比べてデジタル記録のメリットを生かし、録画画像の編集が容易であるとか、ダビングによる画像劣化が無いことなどから、今後ＶＴＲを完全に置き換える商品になっていくものと期待されている。従来のＶＴＲではテープの幅が大きいために、テープカートリッジ背面に約２０ミリ＊１５０ミリの大きな面積の背表紙ラベル面があり、そこに貼り付けた紙製の背表紙ラベル面に鉛筆などで録画内容などを容易に筆記したり、また消しゴムで消して書き換えたりすることが可能であった。また、ＶＴＲテープを本棚やラックなどに多数収納していても背表紙ラベル面を頼りに所望のＶＴＲテープを容易に探し出すことも可能であった。このような行動は既にユーザに深く根付いたものであるため、今後ＶＴＲテープにとってかわると考えられる記録型ＤＶＤディスクにおいても同じような機能が求められる。ところが、前述のように光ディスクケースの背表紙ラベル面７３ａの面積が非常に狭いために、必要最小限の情報を小さな文字で筆記しなければならない。
【０００９】さらに、現在広く用いられているＣＤ、ＤＶＤ−ＲＯＭ、ＤＶＤ−ＶＩＤＥＯのような再生専用光ディスクを収納する光ディスクケースとしては、ユーザがタイトルを書き換えることがないので、底板６３と中ケース７４の間に挟みこまれ、下ラベル７３や背表紙ラベル面７３ａが取り出しにくい構造であっても実用上大きな支障は無かったが、ＣＤ−Ｒ、ＤＶＤ−ＲＡＭ、ＤＶＤ−ＲＷなどの記録型光ディスクでは、光ディスクに記録されている内容が頻繁に更新されるので、その度に背表紙ラベル面７３ａのタイトルなどを書き換える必要があるが、図１６に示すような従来の光ディスクケースでは、光ディスクケースをその都度分解する必要があり、非常に不便である。
【００１０】以上のような現状ではユーザは多くの場合、特に記録型光ディスクにおいてタイトルや記録されている内容を背表紙ラベル面には筆記せず、光ディスクや光ディスクケースの表面にマジックインクなどで筆記することになる。光ディスクや光ディスクケースの表面にタイトルや内容を筆記しても背表紙ラベル面の機能は果たさないため、本棚やラックに整列収納された光ディスクを探し出すためには、一枚一枚引き出して光ディスクや光ディスクケース表面に筆記されている内容を確かめる必要があり、非常に不便であるといった問題点があった。
【００１１】以上の内容を簡潔にまとめると従来の光ディスクケースには以下の２つの大きな問題点があった。
・　光ディスクケースの厚さはＶＴＲテープなどに比べて薄いために、背表紙ラベル面の文字が見えにくい。また薄型の光ディスクケースでは背表紙ラベル面の内容が益々見えにくくなり、特に今後の高齢化社会において、この視認性の改善が望まれていくものと予測される。
・　従来の光ディスクケースでは背表紙ラベル面が光ディスクケースの内部に収納されているために、特に書き換え型、追記型光ディスクにおいては背表紙ラベル面を書き換えたり追記したりする際に、その都度光ディスクケースから取り出して書き換えなければならず非常に不便である。
【００１２】
【課題を解決するための手段】内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、この光ディスクケース内には光ディスクの記録内容などを表示する背表紙ラベル面が矩形平面と略直角に収納され、この背表紙ラベル面の虚像を作る位置に側壁面および矩形平面の少なくとも一方の面と接合された凸レンズが配置される構成、あるいは矩形平面に対して傾斜した傾斜面に、収納されている光ディスクの記録内容などを表示する背表紙ラベル面を設けるようにした構成、さらには矩形平面に対して傾斜した傾斜面に、収納されている前記光ディスクの記録内容などを表示する背表紙ラベル面を設け、この背表紙ラベル面の虚像を作る位置に側壁面および矩形平面の少なくとも一方の面と接合された凸レンズが配置されて構成することによって、視認性、筆記性に優れた背表紙ラベル面を有する光ディスクケースを提供することが可能である。
【００１３】
【発明の実施の形態】まず、本発明の主な実施の形態の構成と作用について説明する。
【００１４】本発明の請求項１に記載の光ディスクケースは、内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、この光ディスクケース内には光ディスクの記録内容などを表示する背表紙ラベル面が矩形平面と略直角に収納され、この背表紙ラベル面の虚像を作る位置に側壁面および矩形平面の少なくとも一方の面と接合された凸レンズが配置されるように構成したものである。
【００１５】この構成により側壁面に形成された凸レンズが、収納されている光ディスクの記録内容などを表示する背表紙ラベル面に対して虚像を作る位置に配置されているため、背表紙ラベル面を拡大表示するという作用を有する。
【００１６】本発明の請求項２に記載の光ディスクケースは、内部に収納される光ディスクの表裏面にそれぞれ対向する２つの矩形平面と、この２つの矩形平面と略直角で、この２つの矩形平面の辺にそれぞれ接合された側壁面と、矩形平面に対して傾斜した傾斜面に、収納されている光ディスクの記録内容などを表示する背表紙ラベル面を設けるように構成したものである。
【００１７】この構成により傾斜面上に背表紙ラベル面が設けられているため、矩形平面に対して直角に設けられた背表紙ラベル面に比べて面積が広くなるという作用を有する。
【００１８】本発明の請求項３に記載の光ディスクケースは、内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、矩形平面に対して傾斜した傾斜面に、収納されている光ディスクの記録内容などを表示する背表紙ラベル面を設け、この背表紙ラベル面の虚像を作る位置に側壁面および矩形平面の少なくとも一方の面と接合された凸レンズを配置した構成にしたものである。
【００１９】この構成により傾斜面上に背表紙ラベル面が設けられているため、矩形平面に対して直角に設けられた場合に比べて面積が広くなり、また側壁面に形成された凸レンズが、収納されている光ディスクの記録内容などを表示する背表紙ラベル面に対して虚像を作る位置に配置されているため、背表紙ラベル面が拡大表示されるという作用を有する。
【００２０】以下、本発明の実施例について、図１〜図１５を用いて説明する。
【００２１】
【実施例１】図１は本発明の請求項１に関する実施例１を示す光ディスクケースの構成図である。図１は光ディスクケースと収納される光ディスク１を光ディスクケースの厚み方向に分解して示した分解構造図である。
【００２２】図１において３は矩形形状の底板、７、８および９はこの底板３に対して直角に接合された側壁面であり、下ケース１２を構成している。１０は底板３、側壁面７、９と接合され、矢印ＪＪ方向に稜線を有するシリンドリカル凸レンズである。側壁面７、９の端部には回動孔７ａ、９ａ（図中シリンドリカル凸レンズ１０に隠れて見えていない）がそれぞれ設けられている。２は矩形形状の天板、４、６はこの天板２に対して直角に接合された側壁面であり、上ケース１１を構成している。側壁面４、６に形成された回同軸４ａ（図中は側壁４の裏面にあるために隠れて見えていない）、６ａが、それぞれ対向する位置に形成された回動孔７ａ、９ａに挿入され、回動支持されている。そのため上ケース１１と下ケース１２は回動自在であり、光ディスクケースの開閉を可能としている。底板３の上には光ディスクに記録された内容が表示された下ラベル１３と下ラベル１３の端部を直角に折り曲げて背表紙にして、光ディスク１のタイトルなどが表示された背表紙ラベル面１３ａが置かれる。下ラベル１３の上には、収納される光ディスク１を位置決め保持する中ケース１４が置かれ、最後に上ケース１１がかぶせられる。
【００２３】図２は図１の各パーツを矢印Ｇ方向に積層して組み立てられ完成した光ディスクケースである。図３は図２の光ディスクケースをＨ−Ｈ断面で切断した断面図を示したものである。
【００２４】図３において、底板３と中ケース１４間に挟みこまれた下ラベル１３には光ディスクに記録されている詳細な内容が表示されており、下ラベル１３の端部を直角に折り曲げた背表紙ラベル面１３ａには、光ディスク１のタイトルなどが表示されている。背表紙ラベル面１３ａはシリンドリカル凸レンズ１０に対して視点Ｅ．Ｐ．（ＥＹＥ　ＰＯＩＮＴ）から見た場合、虚像１３ｂを形成する位置に配置されている。すなわちシリンドリカル凸レンズ１０とシリンドリカル凸レンズ１０の焦点との間に配置されている。シリンドリカル凸レンズ１０の光学的特性上、レンズの稜線ＪＪ方向には像が拡大されず、稜線ＪＪと直交する方向にのみ像が拡大されるため、下ラベル１３に予め表示しておく文字などは図４に示すように虚像の状態で正常に拡大されて見えるようにＪＪ方向を引き伸ばしておくことも視認性の観点から有効である。
【００２５】以上のように実施例１によれば、本棚やラックなどに積層収納した多数の光ディスクケースから所望の光ディスクを探し出す時、実際に印刷された背表紙ラベル面１３ａの文字の大きさより大きい虚像１３ｂの文字を見ることになるので、識別視認性も大変良くなり、容易に所望の光ディスクを探し出すとことが出来るといった優れた効果を有している。また最近では収納効率を上げるために非常に薄型の光ディスクケースが市販されているが、従来例で示したような背表紙ラベル面であれば光ディスクケースの厚さを薄くすることに伴って、必然的に背表紙ラベル面に書かれる文字の大きさも小さくなるので識別認識性がますます劣化するといった副作用があったが、本実施例を用いることにより、背表紙ラベル面１３ａの位置とシリンドリカル凸レンズ１０の焦点の位置関係を最適に配置する（拡大率を上げるためには、背表紙ラベル面１３ａの位置をシリンドリカル凸レンズ１０の焦点の位置に近づける）ことにより、光ディスクケースの厚さを薄くし収納性を向上させることと、背表紙ラベル面の識別認識性の向上の両立が可能であるといった優れた効果も有し、また小さな文字が見えにくい高齢者の占める割合が多くなると予測されている今後の高齢化社会においても非常に優れた効果を発揮することが期待できる。
【００２６】
【実施例２】図５は本発明の請求項２に関する実施例２を示す光ディスクケースの構成図である。図５は光ディスクケースの分解構造図を表したものである。図５において２１は矢印Ｆの方向に収納される光ディスク、２２は矩形形状の天板、２３は同様に矩形形状の底板であり、光ディスクケースを閉じた図６の状態に於いて、光ディスクの表裏面とそれぞれ対向する位置に配置されている。２４、２５および２６は天板２２の３辺にそれぞれ直角に接合された側壁面であり、上ケース３１を構成している。２７、２８および２９は、底板２３の３辺にそれぞれ直角に接合された側壁面であり下ケース３２を構成している。ここで側壁面２８、２９は図５では見えていないが、光ディスクケースを閉じた状態で側壁面２８は側壁面２５と、側壁面２９は側壁面２６と対向する位置である。側壁面２４、２６にはそれぞれ回動軸２４ａ（図では側壁面２４の裏側にあるため見えていない）と回動軸２６ａがあり、側壁面２７、２９に設けられた回動孔２７ａ、２９ａと矢印ＤＤのようにそれぞれ係合されているため、上ケース３１と下ケース３２は開閉自在である。また、収納されている光ディスク２１に記録されている内容やタイトルが書き込まれる背表紙ラベル面３０が底板２３に対して傾斜して接合されている。図６は図５の光ディスクケースが組み立てられた状態を示したものである。図７は図６におけるＷ−Ｗ断面図を示したものである。３４は光ディスクケース内部において光ディスク２１を位置決め保持する機能を有する中ケースである。
【００２７】
【実施例３】図８は本発明の請求項２に関する他の実施例３を示す光ディスクケースの構成図である。図８において光ディスクケースの大部分の構造は実施例２と同じであるので同一の番号を付与している。底板２３にはラベルを貼り付けるためのラベル面２３ａが設けてあり、ラベル面２３ａに下ラベル３３が、底板２３と傾斜した背表紙ラベル面３０ａには下ラベル３３の端部を折り曲げた背表紙ラベル３３ａが矢印Ｔのように貼り付けられる。ラベル面２３ａはラベル３３を貼り付ける時に位置決めしやすいように一段窪んだ面にする方が望ましい。
【００２８】
【実施例４】図９は本発明の請求項２に関する他の実施例４を示す光ディスクケースの構成図である。図９において光ディスクケースの大部分の構造は実施例２と同じであるので同一の番号を付与している。底板２３には直接鉛筆などで筆記できるようにしたラベル面２３ｂが設けてある。このラベル面２３ｂは射出成型金型の表面を粗くし、射出成型時にこの金型の面粗さをプラスチック成型品の表面に転写することによって形成される。ラベル面２３ｂは底板２３の他の領域に比べて面粗さが粗くなっているため、直接鉛筆などで筆記することが可能である。さらに底板２３は材質的にはプラスチックであるが、ラベル面２３ｂに筆記された文字をより見やすくするために白色または白色に近い薄い色のプラスチックであることが望ましい。３０ｂはラベル面２３ｂと接合され、底板２３に対して傾斜した背表紙ラベル面である。この背表紙ラベル面３０ｂもラベル面２３ｂと同様な製造方法、同様な材質で製作され、同様な面粗さを有しているため直接鉛筆などで筆記することが可能である。
【００２９】以上の実施例２、実施例３、実施例４のように構成したことにより、筆記性、視認性に優れた背表紙ラベル面を有する光ディスクケースを提供することができる。さらに詳細に説明すると、現在広く用いられているＣＤ、ＤＶＤ−ＲＯＭ、ＤＶＤ−ＶＩＤＥＯのような再生専用光ディスクを収納する光ディスクケースでは、タイトルを書き換えることがないので、光ディスクケース内に収納され、直角な側壁面に設けられた面積の狭い背表紙ラベル面（直角型背表紙ラベル面）でも支障は無いが、近年急速に普及し始めたＣＤ−Ｒ、ＤＶＤ−ＲＡＭ、ＤＶＤ−ＲＷなどの記録型光ディスクでは、光ディスクに記録されている内容が頻繁に更新されるので、光ディスクケースの外表面に設けられた筆記性の良い背表紙ラベル面が必要である。また背表紙ラベル面の本来の機能である、本棚やラックなどに積層収納した多数の光ディスクケースから所望の光ディスクを容易に探し出すための識別視認性も必要である。実施例２、実施例３、実施例４によれば、背表紙ラベル面が光ディスクケースの外表面に設けられ、面積が直角型背表紙ラベル面より広いので筆記性がよく、背表紙ラベル面としての投影面積（図７における矢印Ｚの方から見た時の面積）も従来の直角型背表紙ラベル面と同じであるため識別視認性も確保されている。
【００３０】
【実施例５】図１０は本発明の請求項３に関する実施例を示す光ディスクケースの構成図である。図１０は光ディスクケースと収納される光ディスク４１を光ディスクケースの厚み方向に分解して示した分解構造図である。
【００３１】図１０において４３は矩形形状の底板、４７、４８および４９はこの底板４３に対して直角に接合された側壁面である。５０は天板４２、側壁面４４、４６（図中見えていない）と接合され、矢印ＰＰ方向に稜線を有するシリンドリカル凸レンズである。側壁面４７、４９の端部には回動孔４７ａ、４９ａがそれぞれ設けられてあり、側壁面４４、４６に形成された回同軸（図中は見えていない）が回動孔４７ａ、４９ａに挿入され、回動支持されている。そのため上ケース５１と下ケース５２は回動自在であり、光ディスクケースの開閉を可能とする。収納される光ディスク４１を位置決め収納する中ケース５４の端部には、底板４３および天板４２に対して傾斜した面を有する背表紙ラベル面５４ａが設けてある。この背表紙ラベル面５４ａには光ディスクに記録されている内容やタイトルなどが表示される。さらに下ケース５２の上には矢印Ｋのように順次中ケース５４、収納される光ディスク４１、および上ケース５１が積層されて、光ディスクを収納した光ディスクケースが完成する。
【００３２】図１１は図１０の各パーツを矢印Ｋ方向に積層して組み立てられ、上ケースを開けた状態の光ディスクケースである。図１２、図１３は図１１の光ディスクケースをＭ−Ｍ断面で切断した断面図を示したものであり、図１２は上ケースを開いた状態、図１３は上ケースを閉じた状態の断面図である。
【００３３】図１２、図１３において、中ケース５４の端部には光ディスク４１に記録されている内容やタイトルを表示するための背表紙ラベル面５４ａが設けてある。この背表紙ラベル面５４ａは底板４３に対して傾斜した斜面である。背表紙ラベル面５４ａはシリンドリカル凸レンズ５０に対して視点Ｅ．Ｐ．（ＥＹＥ　ＰＯＩＮＴ）から見た場合、虚像を形成する位置に配置されている。すなわちシリンドリカル凸レンズ５０とシリンドリカル凸レンズ５０の焦点との間に配置されている。この背表紙ラベル面５４ａは射出成型金型の表面を粗くし、射出成型時にこの金型の面粗さをプラスチック成型品の表面に転写することによって形成される。背表紙ラベル面５４ａは中ケース５４の他の領域に比べて面粗さが粗くなっているため、直接鉛筆などで筆記することが可能である。さらに背表紙ラベル面５４ａは材質的にはプラスチックであるが、背表紙ラベル面５４ａに筆記された文字をより見やすくするために白色または白色に近い薄い色のプラスチックであることが望ましい。
【００３４】図１４はシリンドリカル凸レンズ５０、背表紙ラベル面５４ａ、背表紙ラベル面５４ａの虚像５４ｂの光学的な関係を説明したものである。図１４において、５０ａはシリンドリカル凸レンズ５０の主平面、ｆ、Ｆはそれぞれ焦点である。背表紙ラベル面５４ａの虚像５４ｂがどのように形成されるかを説明するために、背表紙ラベル面５４ａの一端ｒから出る２本の光線を考える。ｒから光軸Ｚに平行に出た光線は焦点Ｆに向かうように進む、一方ｒから主平面５０ａと光軸Ｚが交わる５０ｂを通る光線はそのまま直進するから、これら２本の光線は視点Ｅ．Ｐ．からはあたかもＲの位置から出たように見える。同様に背表紙ラベル面５４ａのもう一端ｎから出た光線もＮから出たように見えるので、背表紙ラベル面５４ａの虚像は５４ｂのように形成されることになる。
【００３５】図１４から端部ｒ側は端部ｎ側に比べて虚像の拡大率が大きいので、視点Ｅ．Ｐ．から見た場合文字などが変形して見えることになる。そこで、図１５に示すように、予め背表紙ラベル面５４ａの文字などのｒ側を小さく、ｎ側を大きく表示しておくとか、筆記する場合の補助として筆記補助線ｓで区切られた升目を図１５のような形に表示しておけば、虚像の変形を防止でき視認性の観点から有効である。
【００３６】またこのような虚像を視点Ｅ．Ｐ．から見る場合、像の変形と同時に虚像の位置が光軸Ｚ方向に異なるためＮ側とＲ側でいわゆるピンボケが発生する。このような虚像のピンボケを防止するためには、レンズの稜線ＰＰと直交する方向にレンズの曲面を変化させて虚像の変形を補正することも有効であるが、実際には人間の目は見ようとする虚像に対して焦点を合わせ直すので少々虚像の位置が変化しても実用上は問題にならない。またＮ側とＲ側では光線の進行方向に角度差があるため、見る場合は視点Ｅ．Ｐ．をレンズの稜線ＰＰと直交する方向に若干動かす動作により、より鮮明に虚像を見ることが可能であるが、実際には本棚やラックに積層収納された複数枚の光ディスクの中から所望の光ディスクを探し出す場合、並べられた複数の背表紙ラベル面上を順次視線が動いていくので、前記光線の角度差による虚像の見え具合も問題にならない。
【００３７】以上のような実施例５によれば、近年急速に普及し始めたＣＤ−Ｒ、ＤＶＤ−ＲＡＭ、ＤＶＤ−ＲＷなどの記録型光ディスクでは、光ディスクに記録されている内容が頻繁に更新されるが、上ケース５１を開くことによってシリンドリカル凸レンズ５０も同時に開き、背表紙ラベル面５４ａが露出するので、筆記時の障害が無く筆記性の良い背表紙ラベル面を有する光ディスクケースを提供することができる。
【００３８】また背表紙ラベル面にはその本来の機能である本棚やラックなどに積層収納した多数の光ディスクケースから所望の光ディスクを容易に探し出すための識別視認性も必要である。本実施例によれば、背表紙ラベル面の面積が直角型背表紙ラベル面の場合に比べて広いので筆記性が良いのに加え、背表紙ラベル面としての投影面積（図１３における視点Ｅ．Ｐ．から見た時の面積）も従来の直角型背表紙ラベル面と同じであり、しかも上ケース５１を閉じれば、シリンドリカル凸レンズ５０が背表紙ラベル面５４ａの虚像を作る位置にセットされるので、大きな虚像を見ることができ、識別視認性が大幅に向上するという効果も有している。
【００３９】また最近では収納効率を上げるために非常に薄型の光ディスクケースが市販されているが、従来の背表紙ラベル面であれば光ディスクケースの厚さを薄くすることに伴って、筆記性、識別認識性が劣化するといった副作用があったが、本実施例を用いることにより、光ディスクケースの厚さを薄くし収納性を向上させることと背表紙ラベル面への筆記性および識別認識性の向上の両立が可能であるといった優れた効果も有し、また小さな文字が見えにくい高齢者の占める割合が多くなると予測されている今後の高齢化社会においても非常に優れた効果を発揮することが出来る。
【００４０】
【発明の効果】本発明の請求項１に記載の光ディスクケースによれば、内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、この光ディスクケース内には光ディスクの記録内容などを表示する背表紙ラベル面が矩形平面と略直角に収納され、この背表紙ラベル面の虚像を作る位置に側壁面および矩形平面の少なくとも一方の面と接合された凸レンズが配置されるように構成にしたことにより、本棚やラックなどに積層収納した多数の光ディスクケースから所望の光ディスクを探し出す時、実際に印刷された背表紙ラベル面の文字の大きさより大きい虚像の文字を見ることになるので、識別視認性も大変良くなり、容易に所望の光ディスクを探し出すことが出来るといった優れた効果を有している。
【００４１】本発明の請求項２に記載の光ディスクケースによれば、内部に収納される光ディスクの表裏面にそれぞれ対向する２つの矩形平面と、この２つの矩形平面と略直角で、この２つの矩形平面の辺にそれぞれ接合された側壁面と、矩形平面に対して傾斜した傾斜面に、収納されている光ディスクの記録内容などを表示する背表紙ラベル面を設けるように構成したことにより、背表紙ラベル面本来の機能である本棚やラックなどに積層収納した多数の光ディスクケースから所望の光ディスクを探し出す場合において、背表紙ラベル面としての投影面積（図７の矢印Ｚ方向から見たときの面積）も従来の直角型背表紙ラベル面と同じ投影面積を確保することによって識別視認性も維持しながら、近年急速に普及し始めたＣＤ−Ｒ、ＤＶＤ−ＲＡＭ、ＤＶＤ−ＲＷなどの記録型光ディスクでは、光ディスクに記録されている内容が頻繁に更新されるような場合においても、背表紙ラベル面の面積が従来の背表紙ラベル面より広いので筆記性が良く、書き換えるたびに光ディスクケースから取り出さなくても良いといった優れた効果を有している。
【００４２】また最近では収納効率を上げるために非常に薄型の光ディスクケースが市販されているが、従来の背表紙ラベル面であれば光ディスクケースの厚さを薄くすることに伴って、識別認識性が劣化するといった副作用があったが、本実施例を用いることにより、光ディスクケースの厚さを薄くし収納性を向上させることと背表紙ラベル面の筆記性の向上の両立が可能であるといつた優れた効果も有している。
【００４３】本発明の請求項３に記載の光ディスクケースによれば、内部に収納される光ディスクの表裏面にそれぞれ対向する２つの矩形平面と、この２つの矩形平面と略直角で、この２つの矩形平面の辺にそれぞれ接合された側壁面とから構成された光ディスクケースであって、矩形平面に対して傾斜した傾斜面に、収納されている光ディスクの記録内容などを表示する背表紙ラベル面を設け、この背表紙ラベル面の虚像を作る位置に側壁面および矩形平面の少なくとも一方の面と接合された凸レンズを配置した構成にしたことにより、近年普及し始めたＤＶＤ−ＲＡＭ、ＤＶＤ−ＲＷなどの書き換え型光ディスクにおいては、光ディスクに記録されている内容が頻繁に書き換えられるが、上ケースを開くことによってシリンドリカル凸レンズも同時に開き、背表紙ラベル面が露出するので、筆記時の障害が無く非常に筆記性が良く、書き換えるたびに光ディスクケースから取り出さなくても良いといった優れた効果を有している。
【００４４】また背表紙ラベル面にはその本来の機能である本棚やラックなどに積層収納した多数の光ディスクケースから所望の光ディスクを容易に探し出すための識別視認性も必要であるが、本発明の請求項３を用いることにより背表紙ラベル面の面積が直角型背表紙ラベル面より広いので筆記性が良いのに加え、背表紙ラベル面としての投影面積（図１３における視点Ｅ．Ｐ．から見た時の面積）も従来の直角型背表紙ラベル面と同じであり、しかも上ケースを閉じれば、シリンドリカル凸レンズが背表紙ラベル面の虚像を作る位置にセットされるので、大きな虚像を見ることができ、識別視認性が大幅に向上するという効果も有している。
【００４５】また最近では収納効率を上げるために非常に薄型の光ディスクケースが市販されているが、従来の背表紙ラベル面であれば光ディスクケースの厚さを薄くすることに伴って、背表紙ラベル面上の文字も小さくなり識別認識性が劣化するといった副作用があったが、本発明の請求項３を用いることにより、光ディスクケースの厚さを薄くし収納性を向上させることと、背表紙ラベル面への筆記性および識別認識性の向上の両立が可能であるといった優れた効果も併せて有し、また小さな文字が見えにくい高齢者の占める割合が多くなると予測されている今後の高齢化社会においても非常に優れた効果を発揮することが期待される。
【図面の簡単な説明】以下の図面において付されている番号には、見えている部品個々には矢印の無い引き出し線を、見えていない部品には矢印のある引き出し線を用いている。また、上ケース、下ケースなど複数の部品で構成されているものについては矢印のある引き出し線を使用し、さらに番号には下線を付与している。
【図１】本発明の実施例１による光ディスクケースの分解構造図
【図２】本発明の実施例１による光ディスクケースの組み立て完成図
【図３】図２の光ディスクケースのＨ−Ｈ断面図
【図４】本発明の実施例１による光ディスクケースの背表紙ラベル面の表示例
【図５】本発明の実施例２による光ディスクケースの分解構造図
【図６】本発明の実施例２による光ディスクケースの組立完成図
【図７】図２の光ディスクケースのＷ−Ｗ断面図
【図８】本発明の実施例３による光ディスクケースの組み立て図
【図９】本発明の実施例４による光ディスクケースの組み立て図
【図１０】本発明の実施例５による光ディスクケースの分解構造図
【図１１】本発明の実施例５による光ディスクケースの組み立て図
【図１２】図１１の光ディスクケースのＭ−Ｍ断面図（開状態）
【図１３】図１１の光ディスクケースのＭ−Ｍ断面図（閉状態）
【図１４】図１３のシリンドリカル凸レンズの虚像説明図
【図１５】図１３における背表紙ラベル面の説明図
【図１６】従来の光ディスクケースの分解構造図
【図１７】従来例の光ディスクケースの組み立て図
【図１８】図１７の従来の光ディスクケースのＸ−Ｘ断面図
【符号の説明】
１、２１、４１、６１　　　　　　　　　　光ディスク
２、２２、４２、６２　　　　　　　　　　天板
３、２３、４３、６３　　　　　　　　　　底板
２４、２５、２６、２７、２８、２９　　　側壁面
４、６、７、８、９　　　　　　　　　　　側壁面
４４、４７、４８、４９　　　　　　　　　側壁面
６４、６６、６７、６８、６９、７０　　　側壁面
１４、３４、５４、７４　　　　　　　　　中ケース
１３、３３、７３　　　　　　　　　　　　下ラベル
１３ａ、３０、３０ａ、５４ａ、７３ａ　　背表紙ラベル面
１０、５０　　　　　　　　シリンドリカル凸レンズ
【図１】
2004091042.tif 000003
【図２】
2004091042.tif 000004
【図３】
2004091042.tif 000005
【図４】
2004091042.tif 000006
【図５】
2004091042.tif 000007
【図６】
2004091042.tif 000008
【図７】
2004091042.tif 000009
【図８】
2004091042.tif 000010
【図９】
2004091042.tif 000011
【図１０】
2004091042.tif 000012
【図１１】
2004091042.tif 000013
【図１２】
2004091042.tif 000014
【図１３】
2004091042.tif 000015
【図１４】
2004091042.tif 000016
【図１５】
2004091042.tif 000017
【図１６】
2004091042.tif 000018
【図１７】
2004091042.tif 000019
【図１８】
2004091042.tif 000020